(57)【要約】  受容器および供給容器を備える供給システムであって、受容器は、受容器ボディ、上部カバー、および供給接続部を備え、供給接続部は上部カバーと接続され、供給接続部には供給チャネルが設けられ、供給容器は供給容器ボディおよび首部を備え、首部の下端部は出口を有し、首部の側部にはガイドスロットが設けられ、供給チャネルの側壁にはガイドスロットと噛み合うガイド突出部が設けられ、ガイドスロットは、供給容器が所定の方向に回転すると初期位置から下方向に移動するように供給容器をガイドするように形成され、破封部は、供給容器内の材料が、供給容器が下方向に移動する際にシール部を破る、供給システムを開示する。本発明によると、受容器の上部カバーを開けることなく、受容器内に材料を供給することが可能である。
2019531236.tif 000002
【特許請求の範囲】
【請求項１】
受容器および供給容器を備える供給システムであって、
前記受容器は、受容器ボディ、前記受容器ボディの上端部をカバーする上部カバー、および供給接続部を備え、前記供給接続部は前記上部カバーと接続され、前記供給接続部には前記受容器ボディと連絡する供給チャネルが設けられ、前記供給容器は供給容器ボディおよび首部を備え、前記首部の上端部は前記供給容器ボディと接続され、前記首部の下端部は出口を有し、
前記供給容器には前記出口を密封するシール部が設けられ、前記供給容器の前記首部は前記供給接続部の前記供給チャネルに回転可能に取り付けられ、前記首部の側部にはガイドスロットが設けられ、前記供給チャネルの側壁には前記ガイドスロットと噛み合うガイド突出部が設けられ、前記ガイド突出部は前記ガイドスロット内へと延び、前記ガイドスロットは、前記供給容器が外力の作用により所定の方向に回転すると、初期位置から下方向に移動するように前記供給容器をガイドするように形成され、
前記供給接続部には破封部が設けられ、前記破封部は、前記供給容器内の材料が前記首部の前記出口を通って前記受容器ボディに流入するように、前記供給容器が下方向に移動する際に、前記シール部を破るように構成される、供給システム。
【請求項２】
前記ガイドスロットは、第１変位スロット、傾斜スロットおよび第２変位スロットを備え、前記第１変位スロットは前記第２変位ショットに対し平行であり、前記傾斜スロットの一方の端部は前記第１変位スロットと接続され、前記傾斜スロットの他方の端部は前記第２変位スロットと接続される、請求項１記載の供給システム。
【請求項３】
前記ガイド突出部の数は複数であり、複数の前記ガイド突出部は一対一の対応で複数の前記ガイドスロットと噛み合い、
前記複数のガイド突出部とそれぞれ噛み合う複数の第１変位スロットは、すべて第１周囲に位置し、前記複数のガイド突出部に対応する複数の第２ガイドスロットは、すべて第２周囲に位置する、請求項２記載の供給システム。
【請求項４】
前記ガイド突出部の数は２つである、請求項３記載の供給システム。
【請求項５】
前記破封部は、前記シール部を裂くように構成される複数の裂断部からなる、請求項１〜３のいずれか１項に記載の供給システム。
【請求項６】
前記破封部は中空テーパ部からなり、前記テーパ部の底部は、前記供給接続部の前記供給チャネルの壁と接続される、請求項１〜３のいずれか１項に記載の供給システム。
【請求項７】
前記首部の外表面は、前記供給接続部の前記供給チャネルの前記側壁と密封するように係合する、請求項１〜３のいずれか１項に記載の供給システム。
【請求項８】
シールリングが前記首部の前記外表面の周りに設けられ、前記シールリングは、前記供給チャネルの前記側壁に対し、密封するように当接する、請求項７記載の供給システム。
【請求項９】
前記受容器ボディは液体廃棄物収集バッグであり、前記上部カバーは前記液体廃棄物収集バッグの上部部分と密封するように接続され、前記上部カバーには前記上部カバーを貫通して上方向に延びる接続管が設けられ、前記供給接続部は前記接続管に挿入され、前記供給接続部の前記上端部の周辺部は前記接続管の上端部と密封するように接続され、
前記供給容器は供給ボトルである、請求項７記載の供給システム。
【請求項１０】
前記シール部はフィルム状シール部である、請求項１記載の供給システム。
【発明の詳細な説明】
【技術分野】
【０００１】
本開示は、外部から容器内に材料を供給するためのシステムに関する。
【背景技術】
【０００２】
現在、病院内の臨床治療中に発生する様々な液体医療廃棄物は、通常、負圧吸引装置により、液体廃棄物収集タンク内に吸引される。液体廃棄物収集タンクは、液体廃棄物収集バッグ、タンクボディおよび上部カバーを備える。液体廃棄物収集バッグは、タンクボディ内に配置される。上部カバーは、タンクボディの口にてカバーし、液体廃棄物収集バッグの上部分と密封するように接続される。上部カバー上には、通常、液体廃棄物出口、および液体廃棄物収集バッグと連絡する吸引口が設けられる。
【０００３】
液体廃棄物収集バッグが液体廃棄物で充填されると、液体廃棄物を処分する必要がある。液体医療廃棄物は、多量の細菌を含んでいるため、排水を処分する通常の方法で液体廃棄物を浄化することは困難である。液体医療廃棄物が下水道へと不適切に排出され、環境への汚染を引き起こすことを防ぐために、液体廃棄物収集バッグが液体廃棄物で充たされた後に、液体廃棄物収集バッグ内に固化剤を供給し、それから凝固した液体廃棄物を処分するというのが一般的な処分の方法である。現在は、固化剤を液体廃棄物収集バッグ内に供給する際に、医師は上部カバーを開放しなければならない。液体医療廃棄物は多量の細菌を含んでいるため、上部カバーを開放して供給する方法は、医師の作業にとって不便であるだけでなく、不適切な作業による交差感染を引き起こす可能性がある。
【発明の概要】
【発明が解決しようとする課題】
【０００４】
本発明は、構造的に単純であり、操作において便利であり、受容器の上部カバーを開けることなく、受容器内に材料を供給することが可能である供給システムを提供することを目的とする。
【課題を解決するための手段】
【０００５】
本発明が利用する技術的解決策は、受容器および供給容器を備える供給システムであって、受容器は、受容器ボディ、受容器ボディの上端部をカバーする上部カバー、および供給接続部を備え、供給接続部は上部カバーと接続され、供給接続部には受容器ボディと連絡する供給チャネルが設けられ、供給容器は供給容器ボディおよび首部を備え、首部の上端部は供給容器ボディと接続され、首部の下端部は出口を有し、供給容器には出口を密封するシール部が設けられ、供給容器の首部は供給接続部の供給チャネルに回転可能に取り付けられ、首部の側部にはガイドスロットが設けられ、供給チャネルの側壁にはガイドスロットと噛み合うガイド突出部が設けられ、ガイド突出部はガイドスロット内へと延び、ガイドスロットは、供給容器が外力の作用により所定の方向に回転すると、初期位置から下方向に移動するように供給容器をガイドするように形成され、供給接続部には破封部が設けられ、破封部は、供給容器内の材料が、首部の出口を通って受容器ボディに流入するように、供給容器が下方向に移動する際にシール部を破るように使用される、供給システムである。
【発明の効果】
【０００６】
本発明は以下の利点を有する。
【０００７】
１．本発明の実施形態による供給システムは、比較的少ない構成要素を有し、その構造および形状は複雑ではなく、したがって、それら構成要素の製造は容易である。材料を供給する必要がある場合、供給容器が所定の方向に回転される限り、供給容器は、ガイドスロットのガイドに従って下方向に移動し、供給が便利に操作されるように、破封部が供給容器の移動によりシール部を破る。
【０００８】
２．本開示の実施形態による供給システムの供給容器の首部の外表面は、供給接続部の供給チャネルの側壁と密封するように係合する。したがって、本発明の実施形態は、受容器内の液体廃棄物が、外部から密封および隔離されている状態にある場合に、液体廃棄物が負圧下により収集され、材料が液体廃棄物に供給され得るときに、供給システムが密封されたままとし、それにより、二次汚染の危険性を低下させ、供給操作の安全性を向上させることを確実とすることが可能である。
【０００９】
図面を参照して本発明をさらに説明する。
【図面の簡単な説明】
【００１０】
【図１】本発明の実施形態による供給システムの概観の概略図を示す。
【図２】本発明の実施形態による供給システムの部分的に拡大された概略図を示す。
【図３】本発明の実施形態による、供給容器が初期位置から下方向に移動する過程の概略図（部分的には断面図）を示す。
【図４】本発明の実施形態による、供給容器が初期位置から下方向に移動する過程の概略図（部分的には断面図）を示す。
【図５】本発明の実施形態による、供給容器が初期位置から下方向に移動する過程の概略図（部分的には断面図）を示す。
【図６】本発明の実施形態による、供給容器が初期位置から下方向に移動する過程の概略図（部分的には断面図）を示す。
【図７】本発明の実施形態による供給容器の斜視図を示す。
【図８】本発明の実施形態による供給容器の概観を示す。
【図９】本発明の実施形態による供給容器の、異なる視点からの概観を示す。
【図１０】供給接続部の破封部が第１の構造を有する、本発明の実施形態による供給接続部の斜視図を示す。
【図１１】供給接続部の破封部が第１の構造を有する、本発明の実施形態による供給接続部の断面図を示す。
【図１２】供給接続部の破封部は、第１の構造とは異なる第２の構造を有する、本発明の実施形態による供給接続部の斜視図を示す。
【図１３】供給接続部の破封部は、第１の構造とは異なる第２の構造を有する、本発明の実施形態による供給接続部の断面図を示す。
【発明を実施するための形態】
【００１１】
図１から図１１までを参照する。本発明の実施形態による供給システムは、受容器１および供給容器２を備える。
【００１２】
受容器１は、受容器ボディ１１、受容器ボディの上端部をカバーする上部カバー１２、および供給接続部１３を備える。供給接続部１３は略管状であり、供給接続部１３は上部カバー１２と接続され、供給接続部１３には、受容器ボディ１１と連絡する供給チャネル１３０が設けられる。
【００１３】
供給容器２は、供給容器ボディ２１および首部２２を備える。首部２２の上端部は供給容器ボディ２１と接続され、首部２２の下端部は出口２３を有する。供給容器２には、出口２３を密封するシール部２４が設けられる。シール部２４は、好ましくは、たとえば、アルミニウム箔のフィルムで作製されてもよいフィルム状シールを利用する。供給容器２の首部２２は、供給接続部１３の供給チャネル１３０に回転可能に取り付けられる。首部２２の側部には、ガイドスロット２２１が設けられる。供給チャネル１３０の側壁には、ガイドスロット２２１と噛み合うガイド突出部１３１が設けられる。ガイド突出部１３１は、ガイドスロット２２１内へと延びる。ガイドスロット２２１は、外力の作用により供給容器２が所定の方向に回転するときに、供給容器２を、初期位置から下方向に移動するようにガイドするように形成される。ガイド突出部１３１の数は、１つまたはそれ以上であってもよい。ガイド突出部１３１の数が複数である場合、複数のガイド突出部１３１が、一対一の対応で複数のガイドスロット２２１と噛み合う。
【００１４】
本実施形態において、ガイドスロット２２１は、第１変位スロット２２１１、傾斜スロット２２１３および第２変位スロット２２１２を備える。第１変位スロット２２１１は、第２変位スロット２２１２に対し平行であり、傾斜スロット２２１３の一方の端部は第１変位スロット２２１１と接続され、傾斜スロット２２１３の他方の端部は第２変位スロット２２１２と接続される。
【００１５】
好ましくは、複数のガイド突出部１３１とそれぞれ噛み合う複数の第１変位スロット２２１１は、すべて第１周囲に位置し、複数のガイド突出部１３１に対応する複数の第２ガイドスロット２２１２は、すべて第２周囲に位置する。本実施形態において、ガイド突出部１３１の数は２つである。
【００１６】
供給接続部１３には、破封部が設けられる。破封部は、供給容器２が下方向に移動する際に、供給容器２内の材料が首部２２の出口２３を通って受容器ボディ１１に流入するように、シール部２４を破るために使用される。
【００１７】
図３〜図１１に示す例においては、破封部は、シール部２４を裂く複数の裂断部１４ａからなる。図面においては、供給接続部１３には、ベースプレート１３３ａが設けられ、ベースプレート１３３ａの周囲は、供給チャネル１３０の側壁と接続される。ベースプレート１３ａには、中央貫通孔１３５ａが設けられ、複数の裂断部１４ａの底端部は、中央貫通孔１３５ａの壁と接続される。
【００１８】
他の実施形態では、図１２および図１３に示すように、破封部は、中空テーパ部１４ｂからなり、テーパ部１４ｂの底部は、供給接続部１３の供給チャネル１３０の側壁と接続される。
【００１９】
図３〜図６は、破封部がシール部２４を破る作動過程を示す。図３では、供給容器２は初期位置にある。この時点では、２つのガイド突出部１３１がそれぞれに対応する第１変位スロット２２１１に位置し、裂断部１４ａはシール部２４と接触しない。２つのガイド突出部１３１は１８０°離れているため、図では、ガイド突出部１３１のうちの１つのみが示され得る。図４に示されるように、供給容器２が、外力の作用により所定の方向（図４では時計回りの方向）に回転すると、まず、２つのガイド突出部１３１はそれぞれ、第１変位スロット２２１１に沿って、対応する傾斜スロット２２１３の端部へと移動し、その際、裂断部１４ａは、依然としてシール部２４と接触しない。図５に示すように、供給容器２が、時計回りの方向に回転し続け、２つのガイド突出部１３１が、対応する傾斜スロット２２１３に沿って上方向に移動する、すなわち、供給容器２が下方向に移動する。この過程では、複数の裂断部１４ａが、シール部２４に接触し、供給容器２内の材料が首部２２の出口２３を通って受容器ボディ１１に流入するように裂く。破封部が中空テーパ部１４ｂからなる場合、２つのガイド突出部１３１が、対応する傾斜スロット２２１３に沿って上方向に移動する際に、テーパ部１４ｂの上端部が、シール部２４に穴を開ける。図６に示すように、供給容器２が回転し続けると、２つのガイド突出部１３１が、対応する傾斜スロット２２１３の他方の端部から、第２変位スロット２２１２内へと移動し、そうすると、供給容器２はそれ以上、下方向に移動しなくなる。
【００２０】
特定の応用においては、本発明の実施形態による供給システムの受容器ボディ１１は、液体廃棄物収集バッグであり、上部カバー１２は、液体廃棄物収集バッグの上部部分と密封するように接続される。上部カバー１２には、上部カバーを貫通して上方向に延びる接続管１２１が設けられる。供給接続部１３は接続管１２１に挿入され、供給接続部１３の上端部の周辺部は、接続管１２１の上端部と密封するように接続される。供給容器２は供給ボトルであり、供給容器２内の材料は固化剤である。受容器１内の液体廃棄物が、外部から密封および隔離されている状態にある場合に、液体廃棄物が負圧下により収集され、材料が液体廃棄物に供給され得るときに、供給システムが密封されたままとし、それにより、二次汚染の危険性を低下させ、供給操作の安全性を向上させることを確実とするために、供給容器２の首部２２の外表面が、供給接続部１３の供給チャネル１３０の側壁と密封するように係合する。本実施形態において、シールリング２５は、首部２２の外表面の周りに設けられ、シールリング２５は、供給チャネル１３０の側壁に対し、密封するように当接する。図３〜図６から、供給容器の回転過程および下方向移動過程の全体において、シールリング２５が、供給チャネル１３０の側壁に対し、密封するように当接する状態であることがわかる。
【産業上の利用可能性】
【００２１】
本発明の実施形態による供給システムは、比較的少ない構成要素を有し、その構造および形状は複雑ではなく、したがって、それら構成要素の製造は容易である。材料を供給する必要がある場合、供給容器が所定の方向に回転される限り、供給容器は、ガイドスロットのガイドに従って下方向に移動し、供給が便利に操作されるように、破封部が供給容器の移動によりシール部を破る。
【図１】
2019531236.tif 000003
【図２】
2019531236.tif 000004
【図３】
2019531236.tif 000005
【図４】
2019531236.tif 000006
【図５】
2019531236.tif 000007
【図６】
2019531236.tif 000008
【図７】
2019531236.tif 000009
【図８】
2019531236.tif 000010
【図９】
2019531236.tif 000011
【図１０】
2019531236.tif 000012
【図１１】
2019531236.tif 000013
【図１２】
2019531236.tif 000014
【図１３】
2019531236.tif 000015
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
受容器および供給容器を備える供給システムであって、
前記受容器は、受容器ボディ、前記受容器ボディの上端部をカバーする上部カバー、および供給接続部を備え、前記供給接続部は前記上部カバーと接続され、前記供給接続部には前記受容器ボディと連絡する供給チャネルが設けられ、前記供給容器は供給容器ボディおよび首部を備え、前記首部の上端部は前記供給容器ボディと接続され、前記首部の下端部は出口を有し、
前記供給容器には前記出口を密封するシール部が設けられ、前記供給容器の前記首部は前記供給接続部の前記供給チャネルに回転可能に取り付けられ、前記首部の側部にはガイドスロットが設けられ、前記供給チャネルの側壁には前記ガイドスロットと噛み合うガイド突出部が設けられ、前記ガイド突出部は前記ガイドスロット内へと延び、前記ガイドスロットは、前記供給容器が外力の作用により所定の方向に回転すると、初期位置から下方向に移動するように前記供給容器をガイドするように形成され、
前記供給接続部には破封部が設けられ、前記破封部は、前記供給容器内の材料が前記首部の前記出口を通って前記受容器ボディに流入するように、前記供給容器が下方向に移動する際に、前記シール部を破るように構成される、供給システム。
【請求項２】
前記ガイドスロットは、第１変位スロット、傾斜スロットおよび第２変位スロットを備え、前記第１変位スロットは前記第２変位スロットに対し平行であり、前記傾斜スロットの一方の端部は前記第１変位スロットと接続され、前記傾斜スロットの他方の端部は前記第２変位スロットと接続される、請求項１記載の供給システム。
【請求項３】
前記ガイド突出部の数は複数であり、複数の前記ガイド突出部は一対一の対応で複数の前記ガイドスロットと噛み合い、
前記複数のガイド突出部とそれぞれ噛み合う複数の第１変位スロットは、すべて第１周囲に位置し、前記複数のガイド突出部に対応する複数の第２変位スロットは、すべて第２周囲に位置する、請求項２記載の供給システム。
【請求項４】
前記ガイド突出部の数は２つである、請求項３記載の供給システム。
【請求項５】
前記破封部は、前記シール部を裂くように構成される複数の裂断部からなる、請求項１〜３のいずれか１項に記載の供給システム。
【請求項６】
前記破封部は中空テーパ部からなり、前記テーパ部の底部は、前記供給接続部の前記供給チャネルの壁と接続される、請求項１〜３のいずれか１項に記載の供給システム。
【請求項７】
前記首部の外表面は、前記供給接続部の前記供給チャネルの前記側壁と密封するように係合する、請求項１〜３のいずれか１項に記載の供給システム。
【請求項８】
シールリングが前記首部の前記外表面の周りに設けられ、前記シールリングは、前記供給チャネルの前記側壁に対し、密封するように当接する、請求項７記載の供給システム。
【請求項９】
前記受容器ボディは液体廃棄物収集バッグであり、前記上部カバーは前記液体廃棄物収集バッグの上部部分と密封するように接続され、前記上部カバーには前記上部カバーを貫通して上方向に延びる接続管が設けられ、前記供給接続部は前記接続管に挿入され、前記供給接続部の前記上端部の周辺部は前記接続管の上端部と密封するように接続され、
前記供給容器は供給ボトルである、請求項７記載の供給システム。
【請求項１０】
前記シール部はフィルム状シール部である、請求項１記載の供給システム。
【手続補正２】
【補正対象書類名】明細書
【補正対象項目名】００１５
【補正方法】変更
【補正の内容】
【００１５】
好ましくは、複数のガイド突出部１３１とそれぞれ噛み合う複数の第１変位スロット２２１１は、すべて第１周囲に位置し、複数のガイド突出部１３１に対応する複数の第２変位スロット２２１２は、すべて第２周囲に位置する。本実施形態において、ガイド突出部１３１の数は２つである。
【国際調査報告】
2019531236.tif 000016
2019531236.tif 000017
2019531236.tif 000018
2019531236.tif 000019